(57)【要約】【課題】  遊技の際の操作性を向上させる。【解決手段】  操作ハンドル８を、ハンドルベース２６、リングホルダ２７、フェイスカバー２８から構成する。リングホルダ２７を、リング付勢バネにより基準位置に付勢するフェイスカバー２８に、アームレスト２９を回動自在に取り付ける。リングホルダ２７の内部には、左固定レバー３１、右固定レバー３２、連結板３３が変位可能に設けられる。ＣＰＵ１５ａは、発射装置１７を駆動して、リングホルダ２７の回動量に応じた打ち出し強さでパチンコ球７を遊技盤４面上に打ち出す。遊技者がアームレスト２９を回動して、連結板３３を移動すると、本体部３１ａの外周面が、リングストッパ３７に接触する。同様に、本体部３２ａの外周面が、リングストッパ３７に接触する。これにより、リングホルダ２７を回動不能に固定する。【選択図】        図１４
2005143749.tif 000002
【特許請求の範囲】
【請求項１】
遊技領域に向けて遊技媒体を打ち出す発射装置と、回動が可能であって非回動状態である基準位置から回動した量に応じて前記発射装置による前記遊技媒体の打ち出し強さを調整する打出調整部及び前記打出調整部を前記基準位置に向けて付勢する打出付勢部を有し、前記発射装置に前記遊技媒体を打ち出させる発射作動装置とを備えた弾球遊技機において、
前記発射作動装置は、前記打出調整部に設けられた孔の内部に位置され、前記孔の内周面に設けられた接触部に接触して前記打出調整部を回動した位置で固定する固定位置と前記接触部との接触を解除する固定解除位置との間で変位する位置固定部を備えたことを特徴とする弾球遊技機。
【請求項２】
遊技者により操作され、前記位置固定部に接触して当該位置固定部を前記固定位置と前記固定解除位置とに変位させる変位部とを備えたことを特徴とする請求項１記載の弾球遊技機。
【請求項３】
前記発射作動装置は、前記固定解除位置に向けて前記位置固定部を付勢する固定付勢部と、前記位置固定部を前記固定解除位置に変位させる解除変位位置に向けて前記変位部を付勢する変位付勢部とを備えたことを特徴とする請求項２記載の弾球遊技機。
【請求項４】
前記変位部は、遊技者の手の少なくとも一部を載せて前記打出調整部の操作を行う手載せ部を備えたことを特徴とする請求項２または３記載の弾球遊技機弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、遊技場に設置されるパチンコ機には、前面に操作ハンドルが設けられている。この操作ハンドルには、リングホルダが回動可能に設けられており、このリングホルダを回動させると、その回動が伝達部を介して球発射装置に伝わり、球発射装置によりパチンコ球が遊技領域に打ち出される。遊技を行う際には、遊技者は、一方の手でリングホルダを所定量回動させて、パチンコ球を遊技領域へ打ち出している。このリングホルダは、その回動量に比例してパチンコ球の打ち出し強さが変化するようになっている。このため、遊技者は、意図する打ち出し強さとなるようにリングホルダの回動量を調整している。
【発明の開示】
【発明が解決しようとする課題】
【０００３】
しかしながら、この操作ハンドルの場合、リングホルダは、パチンコ球が打ち出されない状態である基準位置へ戻る方向にバネによって付勢されている。このため、意図する打ち出し強さを維持するために、回動させたリングホルダをバネの付勢力に抗して一定の位置に保持することは、特に長時間遊技を行う遊技者にとっては、手に負担がかかるものとなる。この場合、例えば一旦リングホルダから手を離した後に遊技を再開するということが考えられるが、一旦リングホルダを離すと、リングホルダは、球発射装置によりパチンコ球が打ち出されない状態である基準位置に戻ってしまうため、再度リングホルダを回動させて打ち出し強さを調整する必要があり、遊技の際の操作性が悪かった。
【０００４】
本発明は、上記課題を解決するためになされたものであり、遊技の際の操作性を向上させることができる弾球遊技機を提供することを目的とする。
【課題を解決するための手段】
【０００５】
上記目的を達成するために、本発明の弾球遊技機は、遊技領域に向けて遊技媒体を打ち出す発射装置と、回動が可能であって非回動状態である基準位置から回動した量に応じて前記発射装置による前記遊技媒体の打ち出し強さを調整する打出調整部及び前記打出調整部を前記基準位置に向けて付勢する打出付勢部を有し、前記発射装置に前記遊技媒体を打ち出させる発射作動装置とを備えた弾球遊技機において、前記発射作動装置は、前記打出調整部に設けられた孔の内部に位置され、前記孔の内周面に設けられた接触部に接触して前記打出調整部を回動した位置で固定する固定位置と前記接触部との接触を解除する固定解除位置との間で変位する位置固定部を備えたことを特徴とする。
【０００６】
なお、遊技者により操作され、前記位置固定部に接触して当該位置固定部を前記固定位置と前記固定解除位置とに変位させる変位部とを備えることが好ましい。また、前記発射作動装置は、前記固定解除位置に向けて前記位置固定部を付勢する固定付勢部と、前記位置固定部を前記固定解除位置に変位させる解除変位位置に向けて前記変位部を付勢する変位付勢部とを備えることが好ましい。さらに、前記変位部は、遊技者の手の少なくとも一部を載せて前記打出調整部の操作を行う手載せ部を備えることが好ましい。
【発明の効果】
【０００７】
本発明の弾球遊技機によれば、遊技領域に向けて遊技媒体を打ち出す発射装置と、回動が可能であって非回動状態である基準位置から回動した量に応じて発射装置による遊技媒体の打ち出し強さを調整する打出調整部及び打出調整部を基準位置に向けて付勢する打出付勢部を有し、発射装置に遊技媒体を打ち出させる発射作動装置とを備え、発射作動装置は、打出調整部に設けられた孔の内部に位置され、孔の内周面に設けられた接触部に接触して打出調整部を回動した位置で固定する固定位置と接触部との接触を解除する固定解除位置との間で変位する位置固定部を備えたから、位置固定部を固定位置に変位すると、位置固定部が孔の内周面に設けられた接触部に接触することにより、打出調整部を基準位置に向けて付勢する打出付勢部の付勢に抗して、打出調整部を回動した位置で固定することができるため、遊技者は、意図する打ち出し強さのときに打出調整部を固定することにより、打出調整部を基準位置に向けて付勢する打出付勢部の付勢に抗して打出調整部の位置を維持する力を要せずに、意図する打ち出し強さを維持して遊技媒体を遊技領域に打ち出すことができるから、遊技者の手にかかる負担を軽減することができ、遊技の際の操作性を向上させることができ、さらには、位置固定部を、打出調整部に設けられた孔の内部に位置させ、位置固定部を打出調整部の孔の内周面に設けられた接触部に接触させることにより、打出調整部を回動した位置で固定するから、打出調整部の外部からの影響を受けずに安定して打出調整部を回動した位置で固定することができる。
【０００８】
また、遊技者により操作され、位置固定部に接触して当該位置固定部を固定位置と固定解除位置とに変位させる変位部とを備えたから、変位部を操作して位置固定部を固定位置に変位させると、位置固定部が打出調整部の孔の内周面に設けられた接触部に接触することにより、打出調整部を基準位置に向けて付勢する打出付勢部の付勢に抗して、打出調整部を回動した位置で固定することができるため、遊技者は、変位部を操作して位置固定部を固定位置に変位させるだけで、打出調整部を基準位置に向けて付勢する打出付勢部の付勢に抗して打出調整部の位置を維持する力を要せずに、意図する打ち出し強さを維持して遊技媒体を遊技領域に打ち出すことができるから、遊技の際の操作性を向上させることができる。
【０００９】
また、発射作動装置は、固定解除位置に向けて位置固定部を付勢する固定付勢部と、位置固定部を固定解除位置に変位させる解除変位位置に向けて変位部を付勢する変位付勢部とを備えたから、通常時には、位置固定部は固定付勢部の付勢により固定解除位置に位置し、変位部は変位付勢部の付勢により位置固定部を固定解除位置に変位させる解除変位位置に位置するため、遊技者が変位部を操作しない限り、位置固定部を固定解除位置に、変位部を解除変位位置にそれぞれ位置することができる。
【００１０】
さらに、変位部は、遊技者の手の少なくとも一部を載せて打出調整部の操作を行う手載せ部を備えたから、遊技者は、手載せ部に手の少なくとも一部を載せて打出調整部の操作を行い、この手載せ部を意図する打ち出し強さのときに操作して位置固定部を固定位置に変位させるだけで、打出調整部を基準位置に向けて付勢する打出付勢部の付勢に抗して打出調整部の位置を維持する力を要せずに、手にかかる負担が軽減された状態で、意図する打ち出し強さを維持して遊技媒体を遊技領域に打ち出すことができるようになり、より一層遊技の際の操作性を向上させることができる。また、遊技者は、手載せ部に手の少なくとも一部を載せながら打出調整部の操作を行うことができるから、手が楽な状態で遊技を行うことができる。
【発明を実施するための最良の形態】
【００１１】
図１に本発明を用いた弾球遊技機の１実施例であるパチンコ機の外観を示す。パチンコ機２の本体基部となる本体枠３の内部には遊技盤４が配設されており、遊技盤４の前面には前面枠５が本体枠３に対して開閉自在に設けられている。前面枠５の下方には、打球供給用の供給皿６が設けられ、この供給皿６の下方であり、前面枠５の右側部には、パチンコ球（遊技媒体）７の打ち出し強さを調節する操作ハンドル（発射作動装置）８が設けられている。遊技盤４のパチンコ球７が打ち出される遊技領域４ａの略中央には、予め定められた入賞口へパチンコ球を入賞させるなどの所定入賞条件に基づいて遊技中に様々な図柄を液晶画面に所定時間内において変動表示させた後に停止表示させる図柄可変表示装置９が配置され、その周りには始動入賞口１０、通常入賞口１１、アタッカ１２、アウト口１３が設けられている。各入賞口１０〜１２内には、各入賞口１０〜１２に入ったパチンコ球７を検知する入賞球検知センサ１４（図１２参照）が設けられている。遊技者は、供給皿６にパチンコ球７を投入してパチンコ球７を供給皿６内に設けられた誘導路を介して後述する球発射装置（発射装置）１７へと導き、回動式の操作ハンドル８を所定量回動して球発射装置１７の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１２】
なお、前面枠５が閉じているロック状態であるときには、遊技者や遊技場の作業者は、前面枠５に板状のガラスが装着されて形成されたガラス窓１９を通して遊技盤４の遊技領域４ａを流下していく遊技球を見ることはできるが、遊技盤４にはもちろんのこと本体枠３の内部にも触れることができないようになっている。
【００１３】
図２にパチンコ機の背面側の外観を示す。パチンコ機２の本体枠３には、本体枠３の内部に設けられた支持部材を介して、遊技を行う際に後述する音声発生装置２１等の各種装置を作動させるための主制御を行う主制御回路装置（主制御回路基板）１５の他に、副制御回路装置（副制御回路基板）１６、球発射装置１７、球払出装置１８等がそれぞれ組み付けられている。これら制御回路装置及び装置は、図示しないケーブル等を介して電気的に接続されている。また、本体枠３の内部にはスピーカーなどの音声発生装置２１（図１２参照）や、本体枠３及び遊技盤４上の様々な位置にランプ２２（図１２参照）が設けられており、音声発生装置２１から演出効果を持たせた音声を発生させたり、ランプ２２の点灯制御によって演出効果を出すといったことを行う。
【００１４】
図１及び図３に示すように、操作ハンドル８は、ハンドルベース２６、リングホルダ（打出調整部）２７、フェイスカバー２８、アームレスト（手載せ部）２９から構成され、詳しくは後述するように、ハンドルベース２６とフェイスカバー２８とは、リングホルダ２７を回動自在に挟み込んだ状態で固定され、アームレスト２９はフェイスカバー２８に回動自在に取り付けられている。ハンドルベース２６は、前面枠５の所定箇所に取り付けられる。
【００１５】
図４及び図５に示すように、ハンドルベース２６は、有底円筒状の本体部２６ａとこの本体部２６ａの底面の外側面に一体に形成された円筒状の軸部２６ｂとからなり、本体部２６ａの内部には、左固定レバー３１、右固定レバー３２及び連結板３３が詳しくは後述するように変位自在に取り付けられ、軸部２６ｂの内部には、打出強さ調整用ボリューム３４が取り付けられている。本体部２６ａの内部には、後述する左固定レバー３１のスライド孔３１ｄに挿入するための左スライドボス２６ｃと、後述する右固定レバー３２のスライド孔３２ｄに挿入するための右スライドボス２６ｄとが形成されている。
【００１６】
図４に示すように、金属製の左固定レバー３１及び右固定レバー３２は同じ構造の部材であるため、左固定レバー３１のみを例に説明し、右固定レバー３２の説明は省略する。左固定レバー３１は、略弓形板状に形成された本体部３１ａと、この本体部３１ａの下端部の内側に本体部３１ａを折り曲げた形状で形成された後述する連結板３３を受けるための受け部３１ｂとからなる。本体部３１ａの受け部３１ｂとは逆側の上端部には、後述するコイルバネ（固定付勢部）３５を取り付けるための長孔状のバネ取付孔３１ｃが形成されている。受け部３１ｂには、ハンドルベース２６の左スライドボス２６ｃを挿入するための長孔状のスライド孔３１ｄと、後述する連結板３３の左連結ボス３３ｃを挿入するための連結孔３１ｅとが形成されている。ハンドルベース２６の本体部２６ａの内部には、左固定レバー３１及び右固定レバー３２の受けとなる受けボス（図示せず）が複数形成されており、この受けボスに左固定レバー３１及び右固定レバー３２をそれぞれ載せて、ハンドルベース２６の左スライドボス２６ｃをスライド孔３１ｄに、右スライドボス２６ｄをスライド孔３２ｄにそれぞれ挿入すると、左固定レバー３１及び右固定レバー３２が本体部２６ａの内部に取り付けられた状態となる。本実施形態では、位置固定部は、左固定レバー３１、右固定レバー３２、連結板３３から構成される。なお、左固定レバー３１及び右固定レバー３２は、金属製に限定されることなく、樹脂製など適宜変更してもよい。
【００１７】
コイルバネ（固定付勢部）３５は、コイル状に巻回された中心部３５ａと、この中心部３５ａの左側の端部に形成され、フック形状に曲げ加工された左フック部３５ｂと、中心部３５ａの右側の端部に形成され、フック形状に曲げ加工された右フック部３５ｃとから構成されている。左フック部３５ｂの先端部を左固定レバー３１のバネ取付孔３１ｃに挿入して左フック部３５ｂをバネ取付孔３１ｃに引っ掛け、右フック部３５ｃを図中Ａ方向に移動すると、左フック部３５ｂは図中Ａ方向に、右フック部３５ｃは図中Ｂ方向に移動しようとする力が発生する。そこで、右フック部３５ｃの先端部を右固定レバー３２のバネ取付部３２ｃに挿入して右フック部３５ｃをバネ取付部３２ｃに引っ掛けると、コイルバネ３５により、左固定レバー３１が図中Ａ方向に、右固定レバー３２が図中Ｂ方向に、それぞれ付勢された状態となる（図７参照）。
【００１８】
連結板３３は、板状に形成された本体部３３ａと、この本体部３３ａの略中心部に形成され、後述するアームレスト２９の押圧腕部２９ｄを挿入するための開口３３ｂとから構成され、本体部３３ａの裏面には、下端部の左端部に左固定レバー３１の連結孔３１ｅに挿入するための左連結ボス３３ｃが、下端部の右端部に右固定レバー３２の連結孔３２ｅに挿入するための右連結ボス３３ｄがそれぞれ形成されている。ハンドルベース２６の本体部２６ａの内部には、連結板３３の受けとなる受けボス（図示せず）が複数形成されており、この受けボスに連結板３３を載せて、左連結ボス３３ｃを左固定レバー３１の連結孔３１ｅに、右連結ボス３３ｄを右固定レバー３２の連結孔３２ｅにそれぞれ挿入すると、連結板３３は、左固定レバー３１及び右固定レバー３２と係合し、位置決めされた状態となる。
【００１９】
図３及び図６に示すように、リングホルダ２７は、略円筒状の本体部２７ａと、本体部２７ａの外周面に一体に形成されたリング状のリング部２７ｂとからなり、導電性の樹脂から構成される。リング部２７ｂの外周部には、遊技者が回動する際の把手となる凸状の第１〜第３把手部２７ｃ〜２７ｅが形成されている。本体部２７ａには、リングホルダ２７を回動する際の回動中心となり、リングホルダ２７をハンドルベース２６に取り付ける際に、左固定レバー３１，右固定レバー３２及び連結板３３を本体部２７ａの内部に位置させるための回動孔（孔）２７ｆが形成されており、この回動孔２７ｆにより形成された本体部２７ａの内周面には、ゴム製の円筒状のリングストッパ（接触部）３７が取り付けられている。本体部２７ａをハンドルベース２６の本体部２６ａの内部に挿入すると、リング部２７ｂの裏面外周部が本体部２６ａの表面外周部に当接し、リングホルダ２７はハンドルベース２６に回動可能な状態で取り付けられ、左固定レバー３１、右固定レバー３２、連結板３３がリングホルダ２７の回動孔２７ｆの内部に位置された状態となる。なお、リングストッパ３７は、ゴムに限定されることなく、左固定レバー３１及び右固定レバー３２に対しての摩擦係数が高い部材であれば適宜変更してもよい。
【００２０】
ハンドルベース２６の軸部２６ｂの内部には、打出強さ調整用ボリューム３４が取り付けられており、リングホルダ２７をハンドルベース２６に回動可能に取り付けると、リングホルダ２７は、図示しない伝達機構により打出強さ調整用ボリューム３４に連結した状態となり、リングホルダ２７の回動に応じて打出強さ調整用ボリューム３４が駆動する。リングホルダ２７は、図示しない回動停止部材によりその回動が停止され、図７（Ａ）に示す基準位置から図７（Ｂ）に示す最大回動位置まで回動自在となる。また、リングホルダは、図示しないリング付勢バネ（打出付勢部）により、図７中Ｃ方向（基準位置へ戻る方向）に付勢されている。なお、リングホルダ２７を図７中Ｄ方向に回動させると、パチンコ球７の打ち出し強さが強くなり、図７（Ｂ）に示す最大回動位置までリングホルダ２７を回動させた場合にパチンコ球７の打ち出し強さが最大となる。また、リングホルダ２７を図７中Ｃ方向に回動させるとパチンコ球７の打ち出し強さが弱くなり、図７（Ａ）に示す基準位置までリングホルダ２７を回動させた場合にパチンコ球７の打ち出しが停止する。なお、ハンドルベース２６には、パチンコ球７の打ち出しを停止させる発射停止ボタン（図示せず）が設けられており、この発射停止ボタンを押圧し続けると、リングホルダ２７の回動位置を維持したままパチンコ球７の打ち出しを停止させることができる。
【００２１】
打出強さ調整用ボリューム３４は、後述する主制御回路装置１５内の回動量演算部５１に接続されている（図３及び図１２参照）。打出強さ調整用ボリューム３４は、図示しない伝達機構によりリングホルダ２７に連結されており、リングホルダ２７の回動に応じて駆動され、その駆動に応じた駆動量信号を駆動量演算部５１に送る。
【００２２】
リングホルダ２７のリング部２７ｂには、接触検知センサ３８が埋め込まれており、この接触検知センサ３８は、後述する主制御回路装置１５内の接触検知処理部５３に接続されている（図１２参照）。遊技者が手で導電性のリングホルダ２７に触れると、接触検知センサ３８に通電される。接触検知センサ３８は、この通電の有無によりリングホルダ２７に遊技者が触れたかどうかを検知することができる。接触検知センサ３８は、通電されると、接触信号を接触検知処理部５３に送る。
【００２３】
図３、図８及び図９に示すように、フェイスカバー２８は、中がくり抜かれた略半楕円状の本体部２８ａと、本体部２８ａの表面から内側に凹んだ形状であり、アームレスト２９を取り付けるためのアームレスト取付部２８ｂとから構成される。このアームレスト取付部２８ｂは、断面が波形状に形成されており、略中心部には後述するアームレスト２９の押圧腕部２９ｄを挿入するための腕部挿入孔２８ｃが、上部には後述するねじりバネ４５の第１腕部４５ｂを挿入するためのバネ挿入孔２８ｄがそれぞれ形成されている。本体部２８ａのアームレスト取付部２８ｂに繋がる右側面には、後述する回動シャフト４７を挿入するためのシャフト孔２８ｅが形成されている。上述したようにハンドルベース２６とリングホルダ２７とを係合した状態で、図示しない取付部材により、ハンドルベース２６にフェイスカバー２８を取り付けると、ハンドルベース２６とフェイスカバー２８とが、リングホルダ２７を回動自在に挟み込んだ状態で固定される。
【００２４】
図３、図１０及び図１１に示すように、変位部としてのアームレスト（手載せ部）２９は、略Ｌ字形状で形成されており、遊技者が手を載せるための板状の本体部２９ａ、軸部２９ｂ、フェイスカバー２８のアームレスト取付部２８ｂの表面に当接する当接部２９ｃ、後述する連結板３３を押圧して移動するための押圧腕部２９ｄとから構成される。本体部２９ａは、遊技者の手（肩から指先までの部分）の一部である手のひらが違和感なくフィットするような形状に形成されている。アームレスト２９は、軸部２９ｂに形成された回動孔２９ｅを中心に回動自在となり、連結板３３を押圧する押圧位置（図１３参照）と連結板３３の押圧を解除する解除位置（図３参照）との間で回動自在となり、通常は後述するねじりバネ（変位付勢部）４５により解除位置に付勢されている。当接部２９ｃは、後述するねじりバネ４５により付勢されたときに、フェイスカバー２８のアームレスト取付部２８ｂの表面に当接して、アームレスト２９がそれ以上回動しないようにする。本体部２９ａの底面には、後述するねじりバネ４５の第２腕部４５ｃを挿入するためのバネ挿入凹部２９ｆが形成されている。押圧腕部２９ｄをフェイスカバー２８の腕部挿入孔２８ｃ及び連結板３３の開口３３ｂに挿入し、後述するコイルバネ４５の第１腕部４５ｂをフェイスカバー２８のバネ挿入孔２８ｄに挿入し、回動シャフト４７を、回動孔２９ｅ、後述するねじりバネ４５の中心部４５ａ、フェイスカバー２８のシャフト孔２８ｅの順に挿通させると、アームレスト２９は、フェイスカバー２８に回動可能な状態で取り付けられる。これにより、図１１に示すように、遊技者は本体部２９ａに手のひらを載せ、フェイスカバー２８に手のひらを当て、指先だけでリングホルダ２７の回動操作を行うことが可能になるから、手が楽な状態で遊技を行うことができる。
【００２５】
図３及び図１０に示すように、ねじりバネ（変位付勢部）４５は、コイル状に巻回された中心部４５ａと、この中心部４５ａから外側に直線上に延びる第１腕部４５ｂ及び第２腕部４５ｃとから構成されている。上述したように、第１腕部４５ｂをフェイスカバー２８のバネ挿入孔２８ｄに挿入し、中心部４５ａに回動シャフト４７を挿入した状態で、第２腕部４５ｃを図３中Ｅ方向に回転すると、第１腕部４５ｂが図３中Ｅ方向に、第２腕部４５ｃが図３中Ｆ方向にそれぞれ回転しようとする回転力が発生する。そこで、第２腕部４５ｃをアームレスト２９のバネ挿入凹部２９ｆに挿入し、バネ挿入凹部２９ｆの上面に当接すると、第１腕部４５ｂがフェイスカバー２８に、第２腕部４５ｃがアームレスト２９にそれぞれ係止された状態となり、ねじりバネ４５は固定される。これにより、アームレスト２９は、ねじりバネ４５により解除位置である図３中Ｆ方向に付勢される。また、図３中Ｆ方向に付勢されるアームレスト２９は、当接部２９ｃがフェイスカバー２８のアームレスト取付部２８ｂの表面に当接して、それ以上図３中Ｆ方向に回動しないようになっている。
【００２６】
図１２に示すように、パチンコ機２の作動は基本的に主制御回路装置１５及び副制御回路装置１６によって管制される。
【００２７】
主制御回路装置１５は、メインＣＰＵ（ｃｅｎｔｒａｌ  ｐｒｏｃｅｓｓｉｎｇ  ｕｎｉｔ）１５ａ、メインＲＯＭ（ｒｅａｄ  ｏｎｌｙ  ｍｅｍｏｒｙ）１５ｂ、メインＲＡＭ（ｒａｎｄｏｍ  ａｃｃｅｓｓ  ｍｅｍｏｒｙ）１５ｃ、回動量演算部５１、発射回路５２、接触検知処理部５３から構成されている。メインＣＰＵ１５ａは、入賞球検知センサ１４から入力される入力信号に応じて、メインＲＯＭ１５ｂに記憶されている遊技制御プログラムを読み込んでパチンコ機の遊技状態を制御する命令を生成すると共に、副制御回路装置１６に命令情報を送信して所定の遊技状態となるように実行させる。メインＲＯＭ１５ｂには、遊技制御プログラムおよび乱数生成処理プログラムおよび乱数テーブルなどが所定の領域に格納されており、これらはメインＣＰＵ１５ａによって読み出され、演算処理されるように適宜用いられる。メインＲＡＭ１５ｃは、ワーキングエリアとなっており、遊技において利用されるデータなどの一時的保管や書き換えなどに用いられる。
【００２８】
副制御回路装置１６は、サブＣＰＵ１６ａ、サブＲＯＭ１６ｂ、サブＲＡＭ１６ｃから構成されている。サブＣＰＵ１６ａは、サブＲＯＭ１６ｂに格納された副制御装置用制御プログラムを適宜読み出し、主制御回路装置１５から命令情報として入力される制御信号に応じて、副制御用制御プログラムに従って副制御回路装置１６と、図柄可変表示装置９及び音声発生装置２１及びランプ２２との間で制御信号の入出力を行い所定の遊技状態となるようにするための駆動制御を行う。サブＲＡＭ１６ｃはワーキングエリアとなっており、図柄可変表示装置９及び音声発生装置２１及びランプ２２の制御において利用されるデータなどの一時的保管や書き換えなどに用いられる。なお、サブＣＰＵ１６ａにより駆動を制御する装置は、図柄可変表示装置９、音声発生装置２１及びランプ２２に限られず、遊技領域４ａに設けた可動式の入賞装置なども含まれることとする。
【００２９】
メインＣＰＵ１５ａは、入賞球検知センサ１４からの信号が入力されると、メインＲＯＭ１５ｂに記憶されている遊技制御プログラムに基づいて、球払出装置１８を駆動して所定個数の賞球を供給皿６上に払い出す。なお、賞球の個数は、遊技球が入った各入賞口１０〜１２の種類に応じて適宜設定して良い。また、メインＣＰＵ１５ａは、遊技状態を監視しており、エラーが生じた場合に球発射装置１７の作動を停止させる。
【００３０】
上記のように構成されたパチンコ機の作用について説明する。遊技者は、操作ハンドル８のリングホルダ２７を回動して、球発射装置１７によりパチンコ球７を遊技領域４ａに打ち出す。リングホルダ２７を回動すると、図示しない伝達機構により打出強さ調整用ボリューム３４が駆動される。そして、打出強さ調整用ボリューム３４は、その駆動に応じた駆動量信号を駆動量演算部５１に送る。駆動量演算部５１は、送られてきた駆動量信号に基づき、対応した電圧信号を発射回路５２に送る。遊技者が導電性のリングホルダ２７に触れると、接触検知センサ３８に通電される。接触検知センサ３８は、通電されると、接触信号を接触検知処理部５３に送る。接触検知処理部５３は、送られてきた接触信号に基づき、発射回路５２に発射許可信号を送る。発射回路５２は、駆動量演算部５１から送られてきた電圧信号と接触検知処理部５３から送られてきた発射許可信号とに基づき、対応した駆動信号をメインＣＰＵ１５ａに送る。メインＣＰＵ１５ａは、送られてきた駆動信号に基づき、球発射装置１７を駆動して、リングホルダ２７の回動量に応じた打ち出し強さでパチンコ球７を遊技盤４面上に打ち出す動作制御を行う。
【００３１】
遊技盤４面上にパチンコ球７が打ち出されている状態のときに、図１３に示すように、遊技者がアームレスト２９を図中Ｅ方向に押圧位置まで回動すると、押圧腕部２９ｄが連結板３３の本体部３３ａに形成された内周面の上側に当接して押し上げるため、連結板３３は図中Ｇ方向に移動する。図１４に示すように、左固定レバー３１の連結孔３１ｅには左連結ボス３３ｃが挿入されているため、連結板３３が図中Ｇ方向に移動すると、左固定レバー３１は、図中Ｇ方向に移動する。そして、左固定レバー３１は、受け部３１ｂに形成された内周面の下側がハンドルベース２６の左スライドボス２６ｃに当接するため、図中Ｇ方向に移動しながら、左連結ボス３３ｃを中心に図中Ｃ方向に回転する。これにより、本体部３１ａの略中央部よりも上側の外周面が、摩擦係数の高いゴム製のリングストッパ３７に接触する。同様に、右固定レバー３２の本体部３２ａの略中央部よりも上側の外周面が、リングストッパ３７に接触する。このとき、遊技者が、左固定レバー３１の本体部３１ａとリングストッパ３７との接触抵抗と、右固定レバー３２の本体部３２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７が回動不能に固定される。なお、遊技者がアームレスト２９の回動を解除すると、ねじりバネ４５によりアームレスト２９が解除位置まで回動し、連結板３３が図中Ｈ方向に移動して、コイルバネ３５により、左固定レバー３１は、図中Ｈ方向に移動しながら、図中Ｈ方向に移動する左連結ボス３３ｃを中心に図中Ｄ方向に回転し、同様に、右固定レバー３２は、図中Ｈ方向に移動しながら、図中Ｈ方向に移動する右連結ボス３３ｄを中心に図中Ｃ方向に回転し、左固定レバー３１及び右固定レバー３２とリングストッパ３７との接触が解除される。これにより、リングホルダ２７の固定を解除する。
【００３２】
このように、遊技者が遊技中に、左固定レバー３１の本体部３１ａとリングストッパ３７との接触抵抗と、右固定レバー３２の本体部３２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７を回動不能に固定することができるから、リングホルダ２７を基準位置へと戻す方向へ付勢する図示しないリング付勢バネ（打出付勢部）の付勢に抗してリングホルダ２７の位置を維持する力が不要となり、アームレスト２９を回動するだけでリングホルダ２７の位置を維持することができるため、遊技者の手にかかる負担を軽減することができる。また、遊技者はアームレスト２９の本体部２９ａに手のひらを載せ、フェイスカバー２８に手のひらを当て、指先だけでリングホルダ２７の回動操作を行うことが可能になるから、手が楽な状態で遊技を行うことができる。さらに、摩擦係数の高いゴム製のリングストッパ３７を用いているため、樹脂製のもの等を用いたときに比べて、左固定レバー３１の本体部３１ａ及び右固定レバー３２の本体部３２ａとリングストッパ３７との接触抵抗が大きくなるため、リングホルダ２７を回動不能に固定するために必要なアームレスト２９を回動する力を小さくすることができ、遊技者の手にかかる負担を軽減することができる。
【００３３】
なお、上記実施形態では、アームレスト２９をフェイスカバー２８に回動自在に取り付けたが、ハンドルベース２６や前面枠５に回動自在に取り付けてもよい。
【００３４】
図１５に他の実施形態を示す。上記実施形態のものと同様の構成部材には同一の符号を付し、その詳細な説明を簡略化する。この実施形態では、図１５（Ａ）に示すように、左固定レバー６１及び右固定レバー６２は略弓形板状に形成され、左固定レバー６１は、下端部がハンドルベース２６に形成された左軸ボス２６ｅに取り付けられており、左軸ボス２６ｅを中心に回動自在となっている。右固定レバー６２は、下端部がハンドルベース２６に形成された右軸ボス２６ｆに取り付けられており、右軸ボス２６ｆを中心に回動自在となっている。ハンドルベース２６には、後述する左固定レバー６１の左回動孔６１ｃに挿入するための左回動ボス２６ｇ、後述する右固定レバー６２の右回動孔６２ｃに挿入するための右回動ボス２６ｈ、後述するコイルバネ（固定付勢部）６５を取り付けるための左バネ取付リブ２６ｉ及び右バネ取付リブ２６ｊが形成されている。
【００３５】
金属製の左固定レバー６１及び右固定レバー６２は同じ構造の部材であるため、左固定レバー６１のみを例に説明し、右固定レバー６２の説明は省略する。左固定レバー６１は、略弓形板状に形成された本体部６１ａと、この本体部６１ａの上端部の内側に本体部６１ａを折り曲げた形状で形成された後述する連結板６３に当接するための当接部６１ｂとからなる。当接部６１ｂには、長孔状の左回動孔６１ｃが形成されており、この左回動孔６１ｃには、左回動ボス２６ｇが挿入される。当接部６１ｂは、先端部が下端部から上端部に向かうにつれて次第に肉厚が薄くなるようなテーパ状に形成されている。本体部６１ａの略中央部には、一端が左バネ取付リブ２６ｉに取り付けられたコイルバネ（固定付勢部）６５の他端が取り付けられており、左固定レバー６１は、コイルバネ６５により図中Ｄ方向に付勢されている。本体部６２ａの略中央部には、一端が右バネ取付リブ２６ｊに取り付けられたコイルバネ（固定付勢部）６５の他端が取り付けられており、右固定レバー６２は、コイルバネ６５により図中Ｃ方向に付勢されている。板状の連結板６３は、左右の端部が略中央部から上端部に向かうにつれてそれぞれ次第に肉厚が薄くなるようなテーパ状に形成され、略中央部よりも上側部分が略三角形状となっており、図中Ｇ方向及びＨ方向に移動可能に設けられている。本実施形態では、位置固定部は、左固定レバー６１、右固定レバー６２、連結板６３から構成される。なお、左固定レバー６１及び右固定レバー６２は、金属製に限定されることなく、樹脂製など適宜変更してもよい。
【００３６】
遊技者がアームレスト２９を押圧位置まで回動すると、図１５（Ｂ）に示すように、押圧腕部２９ｄが連結板６３の下側面に当接して押し上げるため、連結板６３は図中Ｇ方向に移動する。連結板６３が図中Ｇ方向に移動すると、連結板６３はテーパ状に形成された左右の端部が、左固定レバー６１の当接部６１ｂ及び右固定レバー６２の当接部６２ｂのテーパ状に形成された先端部に当接して押し上げるため、左固定レバー６１は左軸ボス２６ｅを中心に図中Ｃ方向に回動し、右固定レバー６２は右軸ボス２６ｆを中心に図中Ｄ方向に回動する。これにより、左固定レバー６１の本体部６１ａと右固定レバー６２の本体部６２ａとは、それぞれ略中央部よりも上側の外周面がリングストッパ３７に接触する。このとき、遊技者が、本体部６１ａとリングストッパ３７との接触抵抗と、本体部６２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７が回動不能に固定される。なお、遊技者がアームレスト２９の回動を解除すると、ねじりバネ４５によりアームレスト２９が解除位置まで回動し、連結板６３が図中Ｈ方向に移動して、コイルバネ６５により、左固定レバー６１は左軸ボス２６ｅを中心に図中Ｄ方向に回動し、右固定レバー６２は右軸ボス２６ｆを中心に図中Ｃ方向に回動し、本体部６１ａ及び本体部６２ａとリングストッパ３７との接触が解除される。これにより、リングホルダ２７の固定を解除する。
【００３７】
このように、遊技者が遊技中に、左固定レバー６１の本体部６１ａとリングストッパ３７との接触抵抗と、右固定レバー６２の本体部６２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７を回動不能に固定することができるから、リングホルダ２７を基準位置へと戻す方向へ付勢する図示しないリング付勢バネ（打出付勢部）の付勢に抗してリングホルダ２７の位置を維持する力が不要となり、アームレスト２９を回動するだけでリングホルダ２７の位置を維持することができるため、遊技者の手にかかる負担を軽減することができる。
【００３８】
図１６に他の実施形態を示す。図１〜図１４に示す実施形態のものと同様の構成部材には同一の符号を付し、その詳細な説明を簡略化する。この実施形態では、図１６（Ａ）に示すように、ハンドルベース２６には、後述する左リンクレバー７４の挿入孔７４ａに挿入するための左軸ボス２６ｋ、後述する右リンクレバー７５の挿入孔７５ａに挿入するための右軸ボス２６ｌ、後述するコイルバネ（固定付勢部）７７を取り付けるための左バネ取付リブ２６ｍ及び右バネ取付リブ２６ｎが形成されている。
【００３９】
金属製の左固定レバー７１及び右固定レバー７２は略弓形板状に形成されている。左固定レバー７１及び右固定レバー７２は同じ構造の部材であるため、左固定レバー７１のみを例に説明し、右固定レバー７２の説明は省略する。左固定レバー７１は、上端部に後述する左リンクレバー７４を取り付けるための第１取付ボス７１ａが、下端部に後述する移動板７６を取り付けるための第２取付ボス７１ｂがそれぞれ形成されている。板状の連結板７３は、上端部の左端部には左リンクレバー７４を取り付けるための左連結ボス７３ａが、上端部の右端部には右リンクレバー７５を取り付けるための右連結ボス７３ｂがそれぞれ形成されており、図中Ｇ方向及びＨ方向に移動可能に設けられている。左連結ボス７３ａには左リンクレバー７４が、右連結ボス７３ｂには右リンクレバー７５がそれぞれ回動自在に取り付けられている。なお、左固定レバー７１及び右固定レバー７２は、金属製に限定されることなく、樹脂製など適宜変更してもよい。
【００４０】
左リンクレバー７４は、略中央部にハンドルベース２６の左軸ボス２６ｋを挿入するための長孔状の挿入孔７４ａが、右リンクレバー７５は、略中央部にハンドルベース２６の右軸ボス２６ｌを挿入するための長孔状の挿入孔７５ａがそれぞれ形成されている。左リンクレバー７４は、左端部が左固定レバー７１の第１取付ボス７１ａに取り付けられ、右リンクレバー７５は、右端部が右固定レバー７２の第１取付ボス７２ａに取り付けられている。左固定レバー７１の第２取付ボス７１ｂには、板状の移動板７６の左端部が、右固定レバー７２の第２取付ボス７２ｂには、移動板７６の右端部がそれぞれ取り付けられている。移動板７６は図中Ｇ方向及びＨ方向にのみ移動可能に設けられている。左固定レバー７１の略中央部には、一端が左バネ取付リブ２６ｍに取り付けられたコイルバネ（固定付勢部）７７の他端が取り付けられており、左固定レバー７１は、コイルバネ７７により図中Ｄ方向に付勢されている。右固定レバー７２の略中央部には、一端が右バネ取付リブ２６ｎに取り付けられたコイルバネ（固定付勢部）７７の他端が取り付けられており、右固定レバー７２は、コイルバネ７７により図中Ｃ方向に付勢されている。本実施形態では、位置固定部は、左固定レバー７１、右固定レバー７２、連結板７３、左リンクレバー７４、右リンクレバー７５から構成される。
【００４１】
遊技者がアームレスト２９をＥ方向に押圧位置まで回動すると、図１６（Ｂ）に示すように、押圧腕部２９ｄが連結板７３の下側面に当接して押し上げるため、連結板７３は図中Ｇ方向に移動する。連結板７３の左連結ボス７３ａには左リンクレバー７４が取り付けられているため、連結板７３が図中Ｇ方向に移動すると、左リンクレバー７４は、図中Ｇ方向に移動する。そして、左リンクレバー７４は、図中Ｇ方向に移動すると、左リンクレバー７４に形成された内周面の下側がハンドルベース２６の左軸ボス２６ｋに当接し、図中Ｇ方向への移動が阻止されるため、図中Ｇ方向に移動する左連結ボス７３ａを中心に図中Ｃ方向に回転する。左リンクレバー７４は、左固定レバー７１の第１取付ボス７１ａに取り付けられており、左リンクレバー７４が左連結ボス７３ａを中心に図中Ｃ方向に回転すると、左固定レバー７１が左連結ボス７３ａを中心に図中Ｃ方向に回転する。左固定レバー７１には、図中Ｇ方向及びＨ方向にのみ移動可能に設けられた移動板７６が取り付けられているため、左固定レバー７１は、左連結ボス７３ａを中心に図中Ｃ方向に回転すると、図中Ｈ方向に移動しながら左連結ボス７３ａを中心に図中Ｃ方向に回転する。これにより、左固定レバー７１の略中央部よりも下側の外周面が、摩擦係数の高いゴム製のリングストッパ３７に接触する。同様に、右固定レバー７２の略中央部よりも下側の外周面が、リングストッパ３７に接触する。このとき、遊技者が、左固定レバー７１とリングストッパ３７との接触抵抗と、右固定レバー７２とリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７が回動不能に固定される。なお、遊技者がアームレスト２９の回動を解除すると、ねじりバネ４５によりアームレスト２９が解除位置まで回動し、連結板７３が図中Ｈ方向に移動して、コイルバネ７７により、左固定レバー７１は、図中Ｇ方向に移動しながら、図中Ｈ方向に移動する左連結ボス７３ａを中心に図中Ｄ方向に回転し、同様に、右固定レバー７２は、図中Ｇ方向に移動しながら、図中Ｈ方向に移動する右連結ボス７３ｂを中心に図中Ｃ方向に回転し、左固定レバー７１及び右固定レバー７２とリングストッパ３７との接触が解除される。これにより、リングホルダ２７の固定を解除する。
【００４２】
このように、遊技者が遊技中に、左固定レバー７１とリングストッパ３７との接触抵抗と、右固定レバー７２とリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７を回動不能に固定することができるから、リングホルダ２７を基準位置へと戻す方向へ付勢する図示しないリング付勢バネ（打出付勢部）の付勢に抗してリングホルダ２７の位置を維持する力が不要となり、アームレスト２９を回動するだけでリングホルダ２７の位置を維持することができるため、遊技者の手にかかる負担を軽減することができる。
【００４３】
図１７に他の実施形態を示す。図１〜図１４に示す実施形態のものと同様の構成部材には同一の符号を付し、その詳細な説明を簡略化する。この実施形態では、図１７（Ａ）に示すように、ハンドルベース２６には、後述する第１左リンクレバー８４の挿入孔８４ａに挿入するための第１左軸ボス２６ｏ、後述する第２左リンクレバー８５の挿入孔８５ａに挿入するための第２左軸ボス２６ｐ、後述する第１右リンクレバー８６の挿入孔８６ａに挿入するための第１右軸ボス２６ｑ、後述する第２右リンクレバー８７の挿入孔８７ａに挿入するための第２右軸ボス２６ｒ、後述するコイルバネ（固定付勢部）８８を取り付けるための左バネ取付リブ２６ｓ及び右バネ取付リブ２６ｔが形成されている。
【００４４】
金属製の左固定レバー８１及び右固定レバー８２は略弓形板状に形成されている。左固定レバー８１及び右固定レバー８２は同じ構造の部材であるため、左固定レバー８１のみを例に説明し、右固定レバー８２の説明は省略する。左固定レバー８１は、略弓形板状の本体部８１ａと、本体部８１ａの中央部よりも下側部の内周面の内側に形成された後述する第２左リンクレバー８５を受けるための受け部８１ｂとからなる。本体部８１ａの上端部には、後述する第１左リンクレバー８４を取り付けるための第１取付ボス８１ｃが、受け部８１ｂには、後述する第２左リンクレバー８５を取り付けるための第２取付ボス８１ｄがそれぞれ形成されている。なお、左固定レバー８１及び右固定レバー８２は、金属製に限定されることなく、樹脂製など適宜変更してもよい。
【００４５】
板状の連結板８３の裏面には、上端部の左端部に第１左リンクレバー８４を取り付けるための第１左連結ボス８３ａが、下端部の左端部に第２左リンクレバー８５を取り付けるための第２左連結ボス８３ｂが、上端部の右端部に第１右リンクレバー８６を取り付けるための第１右連結ボス８３ｃが、下端部の右端部に第２右リンクレバー８７を取り付けるための第２右連結ボス８３ｄが、中央部にアームレスト２９の押圧腕部２９ｄを挿入するための挿入開口８３ｅがそれぞれ形成されており、連結板８３は、図中Ｇ方向及びＨ方向に移動可能に設けられている。第１左連結ボス８３ａには第１左リンクレバー８４の右端部が、第２左連結ボス８３ｂには第２左リンクレバー８５の右端部が、第１右連結ボス８３ｃには第１右リンクレバー８６の左端部が、第２右連結ボス８３ｄには第２右リンクレバー８７の左端部がそれぞれ取り付けられている。各リンクレバー８４〜８７は、回動可能に取り付けられている。
【００４６】
第１左リンクレバー８４、第２左リンクレバー８５、第１右リンクレバー８６及び第２右リンクレバー８７は同じ構造の部材であるため、第１左リンクレバー８４のみを例に説明し、第２左リンクレバー８５、第１右リンクレバー８６及び第２右リンクレバー８７の説明は省略する。第１左リンクレバー８４は、略中央部にハンドルベース２６の第１左軸ボス２６ｏを挿入するための長孔状の挿入孔８４ａが形成されている。第１左リンクレバー８４は、左端部が左固定レバー８１の第１取付ボス８１ｃに取り付けられている。同様に、第２左リンクレバー８５は、左端部が左固定レバー８１の第２取付ボス８１ｄに、第１右リンクレバー８６は、右端部が右固定レバー８２の第１取付ボス８２ｃに、第２右リンクレバー８７は、右端部が右固定レバー８２の第２取付ボス８２ｄにそれぞれ取り付けられている。左固定レバー８１の略中央部には、一端が左バネ取付リブ２６ｓに取り付けられたコイルバネ（固定付勢部）８８の他端が取り付けられており、左固定レバー８１は、コイルバネ８８により図中Ｄ方向に付勢されている。右固定レバー８２の略中央部には、一端が右バネ取付リブ２６ｔに取り付けられたコイルバネ（固定付勢部）８８の他端が取り付けられており、右固定レバー８２は、コイルバネ８８により図中Ｃ方向に付勢されている。本実施形態では、位置固定部は、左固定レバー８１、右固定レバー８２、連結板８３、第１左リンクレバー８４、第２左リンクレバー８５、第１右リンクレバー８６、第２右リンクレバー８７から構成される。
【００４７】
遊技者がアームレスト２９をＥ方向に押圧位置まで回動すると、図１７（Ｂ）に示すように、押圧腕部２９ｄが連結板８３に形成された内周面の上側に当接して押し上げるため、連結板８３は図中Ｇ方向に移動する。連結板８３の第１左連結ボス８３ａには第１左リンクレバー８４が取り付けられ、連結板８３の第２左連結ボス８３ｂには第２左リンクレバー８５が取り付けられているため、連結板８３が図中Ｇ方向に移動すると、第１左リンクレバー８４及び第２左リンクレバー８５は、図中Ｇ方向に移動する。そして、第１左リンクレバー８４は、第１左リンクレバー８４に形成された内周面の下側がハンドルベース２６の第１左軸ボス２６ｏに当接し、図中Ｇ方向への移動が阻止されるため、第１左リンクレバー８４は、図中Ｇ方向に移動する第１左連結ボス８３ａを中心に図中Ｃ方向に回転する。同様に、第２左リンクレバー８５は、第２左リンクレバー８５に形成された内周面の下側がハンドルベース２６の第２左軸ボス２６ｐに当接し、図中Ｇ方向への移動が阻止されるため、第２左リンクレバー８５は、図中Ｇ方向に移動する第２左連結ボス８３ｂを中心に図中Ｃ方向に回転する。第１左リンクレバー８４は左固定レバー８１の第１取付ボス８１ｃに、第２左リンクレバー８５は左固定レバー８１の第２取付ボス８１ｄにそれぞれ取り付けられており、第１左リンクレバー８４が第１左連結ボス８３ａを中心に図中Ｃ方向に回転し、第２左リンクレバー８５が第２左連結ボス８３ｂを中心に図中Ｃ方向に回転すると、左固定レバー８１は、第１左連結ボス８３ａを中心に図中Ｃ方向に回転するとともに、第２左連結ボス８３ｂを中心に図中Ｃ方向に回転する。これにより、左固定レバー８１の本体部８１ａの略中央部よりも下側の外周面が、摩擦係数の高いゴム製のリングストッパ３７に接触する。同様に、右固定レバー８２の本体部８２ａの略中央部よりも下側の外周面が、リングストッパ３７に接触する。このとき、遊技者が、左固定レバー８１の本体部８１ａとリングストッパ３７との接触抵抗と、右固定レバー８２の本体部８２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７が回動不能に固定される。なお、遊技者がアームレスト２９の回動を解除すると、ねじりバネ４５によりアームレスト２９が解除位置まで回動し、連結板８３が図中Ｈ方向に移動して、コイルバネ８８により、左固定レバー８１は、図中Ｈ方向に移動する第１左連結ボス８３ａを中心に図中Ｄ方向に回転するとともに、図中Ｈ方向に移動する第２左連結ボス８３ｂを中心に図中Ｄ方向に回転し、同様に、右固定レバー８２は図中Ｈ方向に移動する第１右連結ボス８３ｃを中心に図中Ｃ方向に回転するとともに、図中Ｈ方向に移動する第２右連結ボス８３ｄを中心に図中Ｃ方向に回転し、左固定レバー８１及び右固定レバー８２とリングストッパ３７との接触が解除される。これにより、リングホルダ２７の固定を解除する。
【００４８】
このように、遊技者が遊技中に、左固定レバー８１の本体部８１ａとリングストッパ３７との接触抵抗と、右固定レバー８２の本体部８２ａとリングストッパ３７との接触抵抗とを合わせた総接触抵抗が、リングホルダ２７を基準位置へと戻す方向へ付勢する図示しないリング付勢バネ（打出付勢部）の付勢力よりも大きくなるように、アームレスト２９を回動すると、リングホルダ２７を回動不能に固定することができるから、リングホルダ２７を基準位置へと戻す方向へ付勢する図示しないリング付勢バネ（打出付勢部）の付勢に抗してリングホルダ２７の位置を維持する力が不要となり、アームレスト２９を回動するだけでリングホルダ２７の位置を維持することができるため、遊技者の手にかかる負担を軽減することができる。
【図面の簡単な説明】
【００４９】
【図１】本発明を実施したパチンコ機の外観を示す斜視図である。
【図２】図１に示したパチンコ機の背面側からの外観を示す斜視図である。
【図３】操作ハンドルを示す断面図である。
【図４】ハンドルベースとリングホルダと左固定レバーと右固定レバーと連結板とコイルバネとを示す分解斜視図である。
【図５】ハンドルベースを示す斜視図である。
【図６】リングホルダとリングストッパとを示す分解斜視図である。
【図７】ハンドルベースにリングホルダを係合した状態を示す正面図である。
【図８】フェイスカバーを示す断面図である。
【図９】フェイスカバーを示す斜視図である。
【図１０】アームレストとねじりバネと回動シャフトとを示す分解斜視図である。
【図１１】アームレストに遊技者が手のひらを載せた状態を示す操作ハンドルの側面図である。
【図１２】図１に示したパチンコ機内部の電気的構成を示す機能ブロック図である。
【図１３】アームレストを回動してリングホルダを固定した状態を示す操作ハンドルの断面図である。
【図１４】アームレストを回動してリングホルダを固定した状態を示すハンドルベース内部の正面図である。
【図１５】先端部がテーパ状に形成された左固定レバー及び右固定レバーと、左右の端部がテーパ状に形成された連結板とを設けた実施形態を示すハンドルベース内部の正面図である。
【図１６】左固定レバーと右固定レバーと連結板と左リンクレバーと右リンクレバーとを設けた実施形態を示すハンドルベース内部の正面図である。
【図１７】左固定レバーと右固定レバーと連結板と第１左リンクレバーと第２左リンクレバーと第１右リンクレバーと第２右リンクレバーとを設けた実施形態を示すハンドルベース内部の正面図である。
【符号の説明】
【００５０】
２  パチンコ機
３  本体枠
４  遊技盤
７  パチンコ球（遊技媒体）
８  操作ハンドル（発射作動装置）
１５  主制御回路装置
１５ａ  メインＣＰＵ（制御手段）
１５ｂ  メインＲＯＭ
１７  球発射装置（発射装置）
２６  ハンドルベース
２７  リングホルダ（打出調整部）
２７ｆ  回動孔（孔）
２８  フェイスカバー
２９  アームレスト（手載せ部）
２９ａ  本体部
２９ｄ  押圧腕部
３１，６１，７１，８１  左固定レバー
３１ａ  本体部
３１ｂ  受け部
３１ｃ  バネ取付孔
３２，６２，７２，８２  右固定レバー
３２ａ  本体部
３２ｂ  受け部
３２ｃ  バネ取付孔
３３，６３，７３，８３  連結板
３４  打出強さ調整用ボリューム
３５，６５，７７，８８  コイルバネ（固定付勢部）
３７  リングストッパ（接触部）
４５  ねじりバネ（変位付勢部）
４７  回動シャフト
５１  回動量演算部
５２  発射回路
５３  接触検知処理部
【図１】
2005143749.tif 000003
【図２】
2005143749.tif 000004
【図３】
2005143749.tif 000005
【図４】
2005143749.tif 000006
【図５】
2005143749.tif 000007
【図６】
2005143749.tif 000008
【図７】
2005143749.tif 000009
【図８】
2005143749.tif 000010
【図９】
2005143749.tif 000011
【図１０】
2005143749.tif 000012
【図１１】
2005143749.tif 000013
【図１２】
2005143749.tif 000014
【図１３】
2005143749.tif 000015
【図１４】
2005143749.tif 000016
【図１５】
2005143749.tif 000017
【図１６】
2005143749.tif 000018
【図１７】
2005143749.tif 000019